(57)【要約】【課題】利用者が不用意に発信者番号を通知してしまうことによるプライバシー侵害を、できるだけ利用者に手間をかけさせずに防止できる通信端末装置を提供する。【解決手段】ナンバーディスプレイサービスを行うＰＳＴＮやＩＳＤＮ等に接続されたファクシミリ装置１００は、操作部１のテンキー１１により電話番号が入力された場合には、発信者番号を「非通知」に設定して発信し、ワンタッチキー１５または短縮キー１６により電話番号が入力された場合には、発信者番号を「通知する」に設定して発信する。また、ファクシミリ装置１００は、操作部１のテンキー１１により電話番号が入力された場合であっても、その電話番号が、ワンタッチキー１５用または短縮キー１６用に登録されている電話番号に相当する場合には、発信者番号を「通知する」に設定して発信する。【選択図】        図１
2004247961.tif 000002
【特許請求の範囲】
【請求項１】
発信者番号通知サービスを行う公衆網に接続され、該公衆網を介した通信を行う通信端末装置であって、
該通信端末装置は、
数字を入力するためのテンキーを有する操作手段を有し、
該テンキーにより電話番号が入力された場合には発信者番号を非通知にして発信し、
簡易発信機能による発信の場合には、発信者番号を通知して発信することを特徴とする通信端末装置。
【請求項２】
前記簡易発信機能は、
ワンタッチダイヤル発信機能であることを特徴とする請求項１記載の通信端末装置。
【請求項３】
前記簡易発信機能は、
短縮ダイヤル発信機能であることを特徴とする請求項１または２記載の通信端末装置。
【請求項４】
前記テンキーにより入力された電話番号と、前記ワンタッチダイヤル発信機能及び／または前記短縮ダイヤル発信機能により登録されている電話番号と、を比較照合する比較機能をさらに有し、
前記テンキーにより入力された電話番号であっても、前記登録されている電話番号に相当する場合には、発信者番号を通知して発信することを特徴とする請求項１から３のいずれか１項に記載の通信端末装置。
【請求項５】
前記簡易発信機能は、
着信履歴ダイヤル発信機能であることを特徴とする請求項１から４のいずれか１項に記載の通信端末装置。
【発明の詳細な説明】
【０００１】
【発明の属する技術分野】
本発明は、通信端末装置に関し、特に、一般公衆網を用いた通信に用いられる通信端末装置に関する。
【０００２】
【従来の技術】
ＰＳＴＮやＩＳＤＮ等の一般公衆網を用いた通信においては、従来、ナンバーディスプレイサービス  （発信者番号通知サービス）と称される発信者側の電話番号を受信者側に対して通知するサービスが開始されている。
【０００３】
このサービスにおいては、各加入者回線毎に発信者番号を通知する／通知しないの設定が選択可能である。しかし、利用者はその初期設定状態を知らないか、または意識しないことが多い。
【０００４】
また、現在では、迷惑電話、迷惑ファクシミリ等を嫌う受信側は、発信者番号が非通知である発信側からの呼び出しに対しては、応答しなかったり、通信端末装置の設定により呼び出し音を出さなくしたりすることが可能である。そのため、一般的に既知の相手先に対しては発信者番号を通知して発信することが多い。よって、初期設定状態としては、発信者番号を通知する設定になっていることがほとんどである。すなわち、特に非通知で初期設定を申し込まない限り、初期設定は「通知する」に設定されているのが通常である。
【０００５】
したがって、利用者は不用意に発信者番号を通知していることがあるので、プライバシー保護の点で問題がある。
【０００６】
さらには、ワン切りと呼ばれる行為を行う悪質業者に対しての発信者番号通知による発信で、トラブルとなるケースもある。
【０００７】
もちろん、発信時に通知特番「１８６」、非通知特番「１８４」を電話番号の前に付加することにより、通知／非通知の設定が可能であることから、この方法によって、以上の問題に対処することは可能である。
【０００８】
しかし、利用者にとっては、通知特番、非通知特番を電話をかける度に毎回入力することが煩わしい。それどころか、利用者は、電話をかけるに際して、上記の問題ひいては通知／非通知の設定について意識することがあまりないのが実情である。
【０００９】
そこで、予め通知特番、非通知特番をワンタッチキー、短縮キーなどに登録しておく方法が考えられる。また、非通知とすべき相手先番号を予め記憶した記憶手段と、発信時に指定された番号が記憶されている場合には非通知の発信とし、記憶されていない場合には通知の発信とする制御手段と、を備えた通信端末装置もある（特許文献１参照）。
【００１０】
【特許文献１】
特開２００１−３６６３２号公報
【００１１】
【発明が解決しようとする課題】
しかし、予め通知特番、非通知特番をワンタッチキー、短縮キーなどに登録する方法では、原則として、個別に「１８６」、「１８４」を付加して登録する必要があるので、利用者にとっては、かなり手間がかかる。また、非通知とすべき相手先番号を予め記憶した記憶手段を有する上記の通信端末装置においても、記憶手段へ入力する必要はあるので、やはり手間がかかる。
【００１２】
そこで、本発明は、利用者が不用意に発信者番号を通知してしまうことによるプライバシー侵害を、できるだけ利用者に手間をかけさせずに防止できる通信端末装置を提供することを目的とする。
【００１３】
【課題を解決するための手段】
上記の目的を達成するために、請求項１記載の発明によれば、通信端末装置は、発信者番号通知サービスを行う公衆網に接続され、該公衆網を介した通信を行う通信端末装置であって、数字を入力するためのテンキーを有する操作手段を有し、テンキーにより電話番号が入力された場合には発信者番号を非通知にして発信し、簡易発信機能による発信の場合には、発信者番号を通知して発信することを特徴とするものである。
【００１４】
請求項２記載の発明は、発信者番号通知サービスを行う一般公衆網に接続し、ワンタッチキー発信機能を持つ通信端末装置において、ワンタッチダイヤル発信機能による発信には発信者番号を通知するに設定して発信し、テンキーにて電話番号が入力された場合には発信者番号を非通知にて発信することを特徴とした通信装置端末を提供する。すなわち、請求項２記載の発明によれば、通信端末装置は、簡易発信機能は、ワンタッチダイヤル発信機能である請求項１記載の通信端末装置であることを特徴とするものである。
【００１５】
請求項３記載の発明は、発信者番号通知サービスを行う一般公衆網に接続し、短縮ダイヤル発信機能を持つ通信端末装置において、短縮キー発信機能による発信には発信者番号を通知するに設定して発信し、テンキーにて電話番号が入力された場合には発信者番号を非通知にて発信することを特徴とした通信装置端末を提供する。すなわち、請求項３記載の発明によれば、通信端末装置は、簡易発信機能は、短縮ダイヤル発信機能であることを特徴とするものである。
【００１６】
請求項４記載の発明は、請求項２、３の発明に、テンキーにて入力した電話番号とワンタッチキー、短縮キー等の短縮登録されている電話番号とを比較する比較機能を付加し、テンキーにて入力した電話番号であっても、短縮登録されている場合には、発信者番号を通知して発信することを特徴とした通信端末装置を提供する。すなわち、請求項４記載の発明によれば、通信端末装置は、テンキーにより入力された電話番号と、ワンタッチダイヤル発信機能及び／または短縮ダイヤル発信機能により登録されている電話番号と、を比較照合する比較機能をさらに有し、テンキーにより入力された電話番号であっても、登録されている電話番号に相当する場合には、発信者番号を通知して発信する請求項１から３のいずれか１項に記載の通信端末装置であることを特徴とするものである。
【００１７】
請求項５記載の発明によれば、通信端末装置は、簡易発信機能は、着信履歴ダイヤル発信機能である請求項１から４のいずれか１項に記載の通信端末装置であることを特徴とするものである。
【００１８】
【発明の実施の形態】
添付図面を参照して、本発明による通信端末装置の実施の形態を以下詳細に説明する。
【００１９】
図１には、本発明による通信端末装置の一実施形態のブロック図が示されている。これは、本発明による通信端末装置のシステム構成としてファクシミリ装置を例にとりにその構成を図示したものである。ただし、本発明における通信端末装置は、ファクシミリ装置に限定されるものではなく、公衆網を介した通信を行える端末装置を広く含み、例えば、固定電話、携帯電話、ＰＨＳ、ＰＣ、ＰＤＡ等もこれに含まれる。
【００２０】
図において、通信端末装置（ファクシミリ装置）１００は、操作部１と、表示・通知部２と、システム制御部３と、システムバス４と、画像処理部５と、画像メモリ６と、書き込み部７と、読み取り部８と、通信制御部９と、ＮＣＵ部１０と、を有して構成される。
以下、各ブロックごとに説明する。
【００２１】
操作部１は、システムバス４を介して、システム制御部３とのキーデータのやり取りを行い、操作部１の各種キー入力により入力されたキーデータをシステム制御部３に渡す制御を行う。操作部１のキーの例としては、メカニカルキーやタッチパネルキーが挙げられる。
【００２２】
操作部１のイメージ図を操作部・表示通知部２と共に、図４に示す。
【００２３】
操作部１には、図４に示されているように、ファクシミリ送信時に選択番号を入力するテンキー１１、ファクシミリ送信時の一連の操作にて使用するスタートキー１２、ストップキー１３、リダイヤルキー（再送キー）１４、ワンタッチキー  （アルファベットキー）１５、短縮番号を選択するための短縮キー１６などがある。
【００２４】
キー数削減のため、１つの物理的キーに複数の意味を持たせることも可能である。例えば、図４のように、ワンタッチキー１４とアルファベットキーが共通化している場合が多い。アルファベットキー、カナキー、漢字変換キー等は、ワンタッチキー１４の情報やメッセージ内容等を登録するために用いられる。
【００２５】
図４の表示・通知部２は、システム制御部３より指示を受け、ＬＥＤの点灯やＬＣＤ表示などの表示装置への表示や、ブザーなどの鳴動を行う。ＬＥＤは、例えば、押下されたキーが光るように装備される。また、ＬＣＤには、キャラクタ表示タイプの他、ドットマトリクスタイプを用いることもでき、また、操作機能も合わせたタッチパネル式表示部を用いることもできる。
【００２６】
ここで本発明による通信端末装置における簡易発信機能について説明する。
【００２７】
ここでいう簡易発信機能とは、電話番号をテンキー入力よりも簡易な入力手段により入力して発信できる機能を意味する。例えば、短縮ダイヤル発信機能、ワンタッチダイヤル発信機能、着信履歴ダイヤル発信機能、アドレス帳ダイヤル発信機能等はこれにあたる。
【００２８】
ここで、短縮ダイヤル発信機能とは、テンキー等により電話番号を構成するすべての数字を手動で順次入力することに代えて、特定のキー  （短縮キー）の押下と予め登録した任意の数字の入力  （通常はテンキーによる）の組み合わせにより簡易に電話番号を入力することができる機能を意味する。例えば、図４の短縮キー１６を押下した後にテンキー１１により任意の数字”１”を入力すれば、”１”と関連付けて予め登録された電話番号”  １２３−４５６Ｘ”  自動的に入力されてこの番号により発信される機能がこれにあたる。
【００２９】
ワンタッチダイヤル発信機能とは、テンキー等により電話番号を構成するすべての数字を手動で順次入力することに代えて、特定のキー  （ワンタッチキー）の押下により簡易に電話番号を入力することができる機能を意味する。例えば、図４のワンタッチキー１４の”Ａ”を押下すれば、文字”Ａ”と関連付けて予め登録された電話番号”  １２３−４５６Ｙ”  が自動的に入力されてこの番号により自動的に発信される機能がこれにあたる。
【００３０】
着信履歴ダイヤル発信機能とは、着信した電話番号を記憶し、着信履歴として表示する機能を有する通信端末において、着信履歴として記憶、表示された着信相手を簡単な動作により選択するだけで、テンキー等により電話番号を構成するすべての数字を手動で順次入力しなくても電話番号が自動的に入力される機能を意味する。例えば、携帯電話やＰＨＳにおいて、液晶デイプレイに表示された着信履歴のリストの中から特定の相手先を選択キーにより選択して発呼キーを押下すると当該相手先の電話番号が自動的に入力されてこの番号により発信される機能がこれにあたる。
【００３１】
アドレス帳ダイヤル発信機能とは、アドレス帳登録機能を有する通信端末において、アドレス帳に記憶、表示された相手を簡単な動作により選択するだけで、テンキー等により電話番号を構成するすべての数字を手動で順次入力しなくても、電話番号が自動的に入力される機能を意味する。例えば、携帯電話やＰＨＳにおいて、液晶デイプレイに表示されたアドレス帳の中から特定の相手を選択キーにより選択して発呼キーを押下すると当該相手先の電話番号が自動的に入力されてこの番号により発信される機能がこれにあたる。
【００３２】
以上で簡易発信機能の説明を終え、図１の各部の説明に戻る。
【００３３】
システム制御部３は、ＣＰＵ（Ｃｅｎｔｒａｌ  Ｐｒｏｃｅｓｓｉｎｇ  Ｕｎｉｔ）  、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）等を有し、ＲＯＭ内にはファクシミリ装置としての基本プログラムや本発明のプログラムが格納されている。
【００３４】
プログラムが膨大になる場合には、ＲＯＭのほかに磁気ディスク装置などを搭載しプログラムを格納することも可能であり、後に説明する画像メモリ部６として磁気ディスク装置を用いる場合には共通化することも可能である。
【００３５】
システム制御部３は、ＲＯＭ内のプログラムに従ってファクシミリ各部を制御し、本発明の機能を実行する。また、通信制御部９の制御や、時計機能、画像メモリ６に蓄積するメッセージデータを管理するファイル管理機能を持つ。また、ワンタッチキー・短縮ダイヤルなどの電源が切れた場合でも保持する必要のある情報は、電源が切れた場合でも情報を保持できるバッテリーバックアップメモリや不揮発性メモリに保存される。
【００３６】
バッテリーバックアップに使用するバッテリーとしては、リチウム１次電池や充電が可能なリチウム２次電池、ニッカド２次電池などを用い、ＲＡＭへの電源供給を電源断時にも行える様にして情報を保持する。
【００３７】
ＲＯＭにおいては、キャラクタ情報などフォントデータを格納する領域を持つ。そして、ファクシミリ装置としての基本プログラムや本発明のプログラムが格納されている先のＲＯＭと同一のＲＯＭにてこれを構成することも可能である。
【００３８】
システムバス４は、システムを結ぶバスである。すなわち、操作部１と、表示・通知部２と、システム制御部３と、システムバス４と、画像処理部５と、画像メモリ６と、書き込み部７と、読み取り部８と、通信制御部９とをつなぐ。
【００３９】
画像処理部５は、符号化された生データの圧縮、及び、圧縮された圧縮データの伸張、及び、変倍処理や生データにてデータの加工を行う。また、発信元名称（印字用）の埋め込みなどを行う。
【００４０】
ここでは画像処理部５をシステムバス４に接続した１つのブロックの中で用いているが、通信制御部９、書き込み部７、読み取り部８がそれぞれ独立して画像処理部を持っていてもよい。
【００４１】
画像メモリ部６としては、例えば、磁気ディスク装置が利用され、画像メモリとしては受信した複数の受信メッセージデータ、送信する複数の送信メッセージデータをファイルとして蓄積する。ただし、画像メモリは、磁気ディスク装置に限定されるものではなく、基盤に実装されるＲＡＭモジュールや、カードスロットに挿入されるメモリカードなどであってもよい。
【００４２】
書き込み部７としては、例えば、サーマル素子を利用したサーマル記録装置が使用されており、書き込み部７のページメモリに蓄積された生データを受け取り、感熱記録素子に直接、あるいは、普通記録紙にインクシートを介して間接的に画像を記録する。ただし、書き込み部７は、サーマル記録装置に限定されるものではなく、電子写真方式、インクジェット方式、トナージェット方式などを用い、記録紙にイメージを記録できる他の装置であってもよい。
【００４３】
書き込み部７は、ページメモリを有し、システム制御部３にて書き込み指定された、画像メモリ６にある画像ファイルをページごとにページメモリに蓄積し、順次書き込み部７に転送する。また、ここに伸張処理を行う画像処理機能を付加するならば、うけとるデータは圧縮データとなり、書き込み部７にて伸張し生データとし印刷出力することができる。
【００４４】
読み取り装置８としては、例えば、ＣＣＤ（Ｃｈａｒｇｅ  Ｃｏｕｐｌｅｄ  Ｄｅｖｉｃｅ）  を利用したイメージスキャナが利用されており、読み取り装置８は、原稿を走査して原稿のイメージを読みとる。そして、読みとられたイメージを２値化し生データとし、さらに、原稿読み取り時の、縮小、拡大などの変倍、線密度変換等も行う。
【００４５】
通信制御部９は、ＮＣＵ（Ｎｅｔｗｏｒｋ  Ｃｏｎｔｒｏｌ  Ｕｎｉｔ）部１０を制御し、加入電話回線ＰＳＴＮ網と接続し、相手側通信端末との通信の制御を行う。また、通信制御部９は、モデムを有しており、相手側通信端末より受信した受信データ（変調されている）を復調したり、逆に、送信時の送信データを変調し送信したりする。
【００４６】
また、通信制御部９は、ＮＣＵ部１０にて検出されたリンギング電圧のパルスの検出や、ＤＴＭＦ信号の検出、トーン信号の検出、送信時の発呼、発信者番号通知サービス手順の制御および情報等受信を行う。
【００４７】
ＮＣＵ部１０は、一般公衆網（ＰＳＴＮ）と接続し、回線の閉結（直流ループ）や、呼び出し信号（リンギング）の検出を行う。また、外付け電話器を接続する接続部を持つ。
【００４８】
以下、本発明による通信端末装置の一実施形態における第１実施例について図２に示されたフローチャートを用いて説明する。
【００４９】
操作部１でキー操作が行われた場合（ステップＳ２１）、そのキー操作がテンキー操作による宛先番号入力か、それ以外の操作かをシステム制御部３が操作部１からのキーデータにより判別する（ステップＳ２２）。
【００５０】
キーデータがテンキー操作による宛先番号入力であった場合には（ＹＥＳ）、その宛先番号に対して、発信者番号通知／非通知特番（１８６／１８４）の有無をシステム制御部３にて判別する（ステップＳ２３）。
【００５１】
発信者番号通知／非通知特番がない場合には（ＮＯ）、発信者番号非通知特番「１８４」を宛先番号入力の先頭に付加した宛先番号データを通信制御部９に渡し、通信制御部９はＮＣＵ部１０を用いて接続する一般公衆網に対して発呼する（ステップＳ２４）。すなわち、非通知特番を付加して発信する。
【００５２】
この場合、発呼したダイヤル番号には発信者番号非通知特番「１８４」が付加されているので、着呼側の通信端末装置に対して利用者の発信者番号は通知されることなく通信されることとなる。
【００５３】
他方、ステップＳ２３において、発信者番号通知／非通知特番がある場合には（ＹＥＳ）、操作者が意図的に発信者番号通知／非通知を設定しているので、その設定を有効とするために、発信者番号非通知特番「１８４」の宛先番号入力データへの付加は行わずに、そのまま宛先番号データとして通信制御部９に渡し、通信制御部９は、ＮＣＵ部１０を用いて接続する一般公衆網に対して発呼する（ステップＳ２５）。すなわち、入力された通知／非通知特番のまま発信される。
【００５４】
この場合、発呼したダイヤル番号には、操作者が意図的に付加した発信者番号通知／非通知特番「１８６／１８４」が付加されているので、通信端末装置が接続されている回線の種別にかかわらず、発信者番号の通知／非通知が着呼側の通信端末装置に対して利用者が意図したとおりに設定されて通信されることとなる。
【００５５】
他方、操作部１にてキー操作が行われ、そのキー操作によるキーデータがテンキー操作による宛先番号入力でなかった場合には（ステップＳ２２でＮＯ）、宛先選択のためのワンタッチキー操作によるキーデータか否かをシステム制御部３にて判別する（ステップＳ２６）。
【００５６】
キーデータが宛先選択のためのワンタッチキー操作であった場合には、発信者番号通知特番「１８６」を操作されたワンタッチキーに登録されている宛先番号の先頭に付加し、その宛先番号データを通信制御部９に渡し、通信制御部９はＮＣＵ部１０を用いて接続する一般公衆網に対して発呼する（ステップＳ２７）。
【００５７】
この場合、発呼したダイヤル番号には発信者番号通知特番「１８６」が付加されているので、着呼側の通信端末装置に対して利用者の発信者番号を通知して通信することとなる。
【００５８】
また、ステップＳ２６において  キーデータが宛先選択のためのワンタッチキー操作でない場合には、そのキー操作は、通信端末装置で通信する場合の宛先選択のための操作ではなく、各種設定などの操作であり、それら操作に対応した制御を実施する（ステップＳ２８）。すなわち、キー操作に対応した処理が実施される。
【００５９】
以上説明したように、第１実施例によれば、利用者に意識させずに、ワンタッチキーに登録された既知の相手先に対してのみ発信者番号を通知する設定にして発信し、それ以外の相手先に対しては発信者番号を通知しない設定にして発信することができる。よって、利用者が未知の相手先に対して不用意に発信者番号を通知してしまうことを、利用者に手間をかけさせずに防止して、利用者のプライバシーを保護できる。
【００６０】
以下、本発明による通信端末装置の一実施形態における第２実施例について同じく図２に示されたフローチャートを用いて説明する。
【００６１】
操作部１でキー操作が行われた場合（ステップＳ２１）、そのキー操作がテンキー操作による宛先番号入力か、それ以外の操作かをシステム制御部３が操作部１からのキーデータにより判別する（ステップＳ２２）。
【００６２】
キーデータがテンキー操作による宛先番号入力であった場合には（ＹＥＳ）、その宛先番号に対して、発信者番号通知／非通知特番（１８６／１８４）の有無をシステム制御部３にて判別する（ステップＳ２３）。
【００６３】
発信者番号通知／非通知特番がない場合には（ＮＯ）、発信者番号非通知特番「１８４」を宛先番号入力の先頭に付加した宛先番号データを通信制御部９に渡し、通信制御部９はＮＣＵ部１０を用いて接続する一般公衆網に対して発呼する（ステップＳ２４）。
【００６４】
この場合、発呼したダイヤル番号には発信者番号非通知特番「１８４」が付加されているので、着呼側の通信端末装置に対しては利用者の発信者番号は通知されることなく通信されることとなる。
【００６５】
他方、ステップＳ２３において、発信者番号通知／非通知特番がある場合には（ＹＥＳ）、操作者が意図的に発信者番号通知／非通知を設定しているので、その設定を有効とするために、発信者番号非通知特番「１８４」の宛先番号入力データへの付加は行わずに、そのまま宛先番号データとして通信制御部９に渡し、通信制御部９はＮＣＵ部１０を用いて接続する一般公衆網に対して発呼する（ステップＳ２５）。すなわち、入力された通知／非通知特番のまま発信される。
【００６６】
この場合、発呼したダイヤル番号には操作者が意図的に付加した発信者番号通知／非通知特番「１８６／１８４」が付加されているので、通信端末装置が接続されている回線の種別にかかわらず、発信者番号の通知／非通知が着呼側の通信端末装置に対して利用者が意図したとおりに設定されて通信されることとなる。
【００６７】
他方、操作部１にてキー操作が行われ、そのキー操作によるキーデータがテンキー操作による宛先番号入力でなかった場合には（ステップＳ２２でＮＯ）、宛先選択のための短縮キー操作によるキーデータか否かをシステム制御部３にて判別する（ステップＳ２６）。
【００６８】
キーデータが宛先選択のための短縮キー操作であった場合には、発信者番号通知特番「１８６」を操作された短縮キーに登録されている宛先番号の先頭に付加し、その宛先番号データを通信制御部９に渡し、通信制御部９はＮＣＵ部１０を用いて接続する一般公衆網に対して発呼する（ステップＳ２７）。すなわち、通知特番を付加して発信する。
【００６９】
この場合、発呼されたダイヤル番号には発信者番号通知特番「１８６」が付加されているので、着呼側の通信端末装置に対して利用者の発信者番号を通知して通信することとなる。
【００７０】
また、ステップＳ２６において、キーデータが宛先選択のための短縮キー操作でない場合には（ＮＯ）、そのキー操作は、通信端末装置で通信する場合の宛先選択のための操作ではなく、各種設定などの操作であり、それら操作に対応した制御を実施する（Ｓ２８）。すなわち、操作に対応した処理が行われる。
【００７１】
以上説明したように、第２実施例によれば、利用者に意識させずに、短縮キーに登録された既知の相手先に対してのみ発信者番号を通知する設定にして発信し、それ以外の相手先に対しては発信者番号を通知しない設定にして発信することができる。よって、利用者が未知の相手先に対して不用意に発信者番号を通知してしまうことを、利用者に手間をかけさせずに防止して、利用者のプライバシーを保護できる。
【００７２】
以下、本発明による通信端末装置の一実施形態における第３実施例について図３に示されたフローチャートを用いて説明する。
【００７３】
操作部１でキー操作が行われた場合（ステップＳ３１）、そのキー操作がテンキー操作による宛先番号入力か、それ以外の操作かをシステム制御部３が操作部１からのキーデータにより判別する（ステップＳ３２）。
【００７４】
キーデータがテンキー操作による宛先番号入力であった場合には（ＹＥＳ）、そのテンキー操作による宛先番号とワンタッチダイヤル／短縮ダイヤルに登録されている宛先番号との比較を行う（ステップＳ３３）。すなわち、ステップＳ３３において、ワンタッチキー／短縮キー登録の有無を判断する。このとき、宛先番号の比較は、発信者番号通知／非通知特番「１８６／１８４」を含まない宛先番号データを抽出して比較する。
【００７５】
その宛先番号がワンタッチキー／短縮キーに登録されていない場合には（ＮＯ）、入力された当該宛先番号に対して、発信者番号通知／非通知特番「１８６／１８４」の有無をシステム制御部３にて判別する（ステップＳ３４）。
【００７６】
発信者番号通知／非通知特番がない場合には（ＮＯ）、発信者番号非通知特番「１８４」を宛先番号入力の先頭に付加した宛先番号データを通信制御部９に渡し、通信制御部９は、ＮＣＵ部１０を用いて接続する一般公衆網に対して発呼する（ステップＳ３５）。すなわち、非通知特番を付加して発信する。
【００７７】
この場合、発呼されたダイヤル番号には発信者番号非通知特番「１８４」が付加されているので、着呼側の通信端末装置に対して利用者の発信者番号は通知されることなく通信されることとなる。
【００７８】
他方、ステップＳ３４において、発信者番号通知／非通知特番がある場合には、操作者が意図的に発信者番号通知を設定しているので、その設定を有効とするために、発信者番号非通知特番「１８４」の宛先番号入力データへの付加は行わず、そのまま宛先番号データとして通信制御部９に渡し、通信制御部９は、ＮＣＵ部１０を用いて接続する一般公衆網に対して発呼する（ステップＳ３６）。すなわち、入力された通知／非通知特番のまま発信される。
【００７９】
この場合、発呼したダイヤル番号には操作者が意図的に付加した発信者番号通知／非通知特番「１８６／１８４」が付加されているので、通信端末装置が接続されている回線の種別にかかわらず、発信者番号の通知／非通知が着呼側の通信端末装置に対して利用者が意図したとおりに設定されて通信されることとなる。
【００８０】
また、テンキー操作による宛先番号がワンタッチキー／短縮キーに登録されている宛先番号との比較を行い（ステップＳ３３）、その宛先番号がワンタッチキー／短縮キーに登録されている場合には（ＹＥＳ）、発信者番号通知特番「１８６」をテンキーにより操作された宛先番号の先頭に付加し、その宛先番号データを通信制御部９に渡し、通信制御部９はＮＣＵ部１０を用いて接続する一般公衆網に対して発呼する（ステップＳ３８）。すなわち、通知特番を付加した発信が行われる。
【００８１】
この場合、発呼したダイヤル番号には発信者番号通知特番「１８６」が付加されているので、着呼側の通信端末装置に対して利用者の発信者番号を通知して通信することとなる。
【００８２】
他方、操作部１にてキー操作が行われ、そのキー操作によるキーデータがテンキー操作による宛先番号入力でなかった場合には（ステップＳ３２でＮＯ）、宛先選択のためのワンタッチキー／短縮キー操作によるキーデータか否かをシステム制御部３にて判別する（ステップＳ３７）。
【００８３】
キーデータが宛先選択のためのワンタッチキー／短縮キー操作であった場合には、発信者番号通知特番「１８６」を操作されたワンタッチキー／短縮キーに登録されている宛先番号の先頭に付加し、その宛先番号データを通信制御部９に渡し、通信制御部９はＮＣＵ部１０を用いて接続する一般公衆網に対して発呼する（ステップＳ３８）。すなわち、通知特番を付加した発信が行われる。
【００８４】
この場合、発呼したダイヤル番号には発信者番号通知特番「１８６」が付加されているので、着呼側の通信端末装置に対して利用者の発信者番号を通知して通信することとなる。
【００８５】
また、ステップＳ３７において、キーデータが宛先選択のためのワンタッチキー／短縮キー操作でない場合には、そのキー操作は、通信端末装置で通信する場合の宛先選択のための操作ではなく、各種設定などの操作であり、それら操作に対応した制御を実施する（ステップＳ３９）。
【００８６】
以上のような第３実施例によれば、テンキーで入力された場合であっても、第１実施例や第２実施例と同様にプライバシー保護の効果が得られる。すなわち、利用者に意識させずに、ワンタッチキー／短縮キーに登録された既知の相手先に対してのみ発信者番号を通知する設定にして発信し、それ以外の相手先に対しては発信者番号を通知しない設定にして発信することができる。よって、利用者が未知の相手先に対して不用意に発信者番号を通知してしまうことを、利用者に手間をかけさせずに防止して、利用者のプライバシーを保護できる。
【００８７】
【発明の効果】
本発明によれば、利用者に意識させずに、ワンタッチキーや短縮キー等の簡易発信機能を用いて通信するような既知の相手先に対してのみ発信者番号を通知する設定にて発信し、それ以外の未知の相手先に対しては発信者番号を通知しないで発信できるため、利用者に手間をかけさせずに、利用者が不用意に発信者番号を通知してしまうことによるプライバシー侵害を防止できる。
【図面の簡単な説明】
【図１】本発明による通信端末装置の一実施形態（ファクシミリ装置）のブロック図である。
【図２】本発明による通信端末装置の第１実施例・第２実施例のフローチャートである。
【図３】本発明による通信端末装置の第３実施例のフローチャートである。
【図４】本発明による通信端末装置の一実施形態における操作部と表示・通知部のイメージ図である。
【符号の説明】
１  操作部
２  表示・通知部
３  システム制御部
４  システムバス
５  画像処理部
６  画像メモリ
７  書き込み部
８  読み取り部（読み取り装置）
９  通信制御部
１０  ＮＣＵ部
１１  テンキー
１２  スタートキー
１３  ストップキー
１４  リダイヤルキー
１５  ワンタッチキー（アルファベットキー）
１６  短縮キー
１００  ファクシミリ装置（通信端末装置）
【図１】
2004247961.tif 000003
【図２】
2004247961.tif 000004
【図３】
2004247961.tif 000005
【図４】
2004247961.tif 000006